【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
作用端部と、前記作用端部から離れるように延在する長手方向支持芯とを備える第１の成形構造体であって、前記芯は、おもて面および裏面と、前記長手方向支持芯の長さに少なくとも沿って配置された対向する側壁部とを備え、前記支持芯の前記おもて面が比較的厚い中央長手方向部分から前記側壁部に連結された比較的薄い側部部分にかけてテーパ状をなし、
前記第１の成形プラスチック構造体の前記側壁部は、前記長手方向支持芯の前記おもて面の上方に延在する高さを有し、かつ第２の成形構造体が、前記側壁部間の、かつその高さと略一致する前記第１の成形構造体の前記長手方向支持芯の少なくとも前記おもて面に存在して、前記支持芯と共に前記成形製品用のハンドルを形成する成形構造体
を備える、成形スプーンまたはフォーク製品。
【請求項２】
前記第１の成形プラスチック構造体の前記長手方向支持芯は、前記側壁部ならびに露出表面および１つまたは複数の側部を有する１つまたは複数のアイランドを備えて前記第２の成形プラスチック構造体の前記第１の成形プラスチック構造体上への形成を容易にし、前記アイランドは、前記側壁部に対して所定の配列で位置決めされ、前記第２の成形プラスチック構造体は、前記アイランドの前記側部を覆うが前記アイランドの前記露出表面を覆わない、請求項１に記載の成形製品。
【請求項３】
前記長手方向支持芯の前記側壁部は、前記長手方向支持芯の前記裏面の下方に延在する高さを有し、前記長手方向支持芯は、Ｉ字型ビームの外観を呈し、前記第２の成形構造体は、前記側壁部間の前記長手方向支持芯の前記裏面上にも存在する、請求項２に記載の成形製品。
【請求項４】
前記側壁部は前記ハンドルの外周部を形成し、芯の前記下方表面の下に延び、前記アイランドが１つまたは複数の側部を有し、前記芯の前記下方表面上に配置され、前記アイランドの前記側部、および前記アイランドに対向する前記側壁部の前記側部が、それぞれ０度の抜き勾配を有する、請求項３に記載の成形製品。
【請求項５】
前記芯の前記下方表面上の前記アイランドの前記側部および前記アイランドに対向する前記コアの前記下方表面上の前記側壁部の前記側部は、それぞれ０度の抜き勾配を有する、請求項３に記載の成形製品。
【請求項６】
前記芯の前記おもて面および前記裏面の両方が、前記１つまたは複数のアイランドを備え、前記アイランドは、前記側壁部に対して所定の配列で位置決めされ、前記第２の成形構造体は、前記アイランドの前記側部を覆うが前記露出表面を覆わない、請求項３に記載の成形製品。
【請求項７】
前記支持芯の前記底面もまた、比較的厚い中央長手方向部分から前記側壁部に連結された比較的薄い側部部分にかけてテーパ状をなし、前記第１の成形構造体の複数のアイランドが、前記側壁部に対して離間関係において前記支持芯の前記おもて面および前記裏面の両方の長手方向軸に沿って配置され、前記おもて面上の前記アイランドは、前記裏面上の前記アイランドと垂直配列に位置決めされる、請求項６に記載の成形製品。
【請求項８】
前記第１の成形構造体は、前記作用端部の対向側にテーパ状端部を有し、前記第２の成形構造体は、前記おもて面から前記裏面まで延在して前記テーパ状端部を覆い、前記テーパ状端部に隣接する前記側壁部は、角度づけされた端部部分を備える、請求項１に記載の成形製品。
【請求項９】
前記アイランドの前記露出表面は、円形、楕円形、多角形、またはダイヤモンド形の外周部を有し、前記側部は、前記露出表面と同一の外周部または異なる外周部を有し、任意
選択で前記アイランドは、パターンまたは文字を集合的に形成する、請求項２に記載の成形製品。
【請求項１０】
前記アイランドは、１つまたは複数の角度づけされた側部を有し、前記アイランドの前記露出表面は、円形、楕円形、多角形、またはダイヤモンド形の外周部を有し、前記第１の成形構造体および前記第２の成形構造体は、前記アイランドの前記露出表面の色彩が前記第２の成形構造体の色彩と対照的になるように、異なる色からなる、請求項２に記載の成形製品。
【請求項１１】
前記第１の成形構造体は、前記第２の成形構造体の形成を容易にするために、前記芯にまたは前記芯と前記側壁部との間に開口を備え、任意選択で前記第１の成形構造体は、前記作用端部と前記芯との間に位置し、前記作用端部および前記芯に連結された移行構造体、ならびに前記移行構造体から延在し、前記製品の前記ハンドルの前記外周部を形成する側壁部を備える、請求項１に記載の成形製品。
【請求項１２】
前記第１および第２のショット成形構造体は、対照的な色彩のものである、請求項１に記載の成形製品。
【請求項１３】
作用端部と、前記作用端部から離れるように延在する長手方向支持芯とを備える第１の成形構造体であって、前記芯は、おもて面および裏面と、前記長手方向支持芯の長さに少なくとも沿って配置された対向する側壁部とを備え、
前記第１の成形構造体の前記側壁部は、前記長手方向支持芯の前記おもて面の上方に延在する高さを有し、かつ第２の成形構造体は、前記側壁部の間に、前記側壁部の高さと略一致して前記第１の成形構造体の前記長手方向支持芯の少なくとも前記おもて面に存在して、前記支持芯と共に前記成形製品用のハンドルを形成し、
前記第１の成形構造体は、前記第２の成形構造体と対照をなし、前記作用端部と前記芯との間に位置し、前記作用端部および前記芯に連結された移行構造体をさらに備え、前記移行構造体は、１つまたは複数の開口を備え、前記第２の成形構造体は、前記１つまたは複数の開口内に延在し、前記１つまたは複数の開口を充填する、成形構造体
を備える、成形製品。
【請求項１４】
作用端部と、前記作用端部から離れるように延在する長手方向支持芯とを備える第１の成形構造体であって、前記芯は、おもて面および裏面と、所定の配置で前記芯に配置された複数のアイランドとを備え、前記第１の成形構造体上の第２の成形構造体の成形を容易にするための安定化支持を提供し、前記アイランドは前記第１の成形構造体の一面に構成されて、前記第２の成形構造体を形成するための材料の導入の間の曲げまたはゆがみに抵抗するための支持を前記芯に提供する、第１の成形構造体と
前記長手方向支持芯の少なくとも１つの表面に存在し、前記芯とともに前記製品のハンドルを形成する、第２の成形構造体とを備え、
前記第１の成形構造体は、前記アイランドを含む前記芯の前記側部に前記製品の前記ハンドルの周辺部を形成する１つまたは複数の側壁部を備え、前記支持芯は、比較的厚い中央長手方向部分から前記側壁部に連結された比較的薄い側部部分にかけてテーパ状をなし、
前記第１の成形プラスチック構造体の前記側壁部は、前記アイランドを含む前記芯の側部上の前記長手方向支持芯の前記表面上に延在する高さを有し、前記アイランドは、前記側壁部の高さよりも大きい高さを有し、前記第２の成形構造体は、前記側壁部の間に、前記側壁部の高さと略一致して配置され、前記アイランドが前記第２の成形構造体によって覆われない露出した表面を有する、
成形スプーンまたはフォーク製品。
【請求項１５】
前記芯のおもて面および裏面の両方が、前記側壁部および前記１つまたは複数のアイランドを含み、前記アイランドが所定の整列で配置され、１つまたは複数の開口が、前記芯のおもて面および裏面の両方に前記第２の成形構造体の形成を容易にするために、前記芯に、または芯と側壁部との間に設けられている、請求項１４に記載の成形製品。
【請求項１６】
前記１つまたは複数の側壁部が、前記作業端部から少なくとも前記ハンドルの長さに沿って延在し、前記芯の表面の上下両方に延びているが、前記アイランドのおもて面の上にはない高さを有する、請求項１５に記載の成形製品。
【請求項１７】
前記第１の成形構造体の複数のアイランドが、前記芯の前記おもて面と裏面の両方の長手方向軸に沿って配置され、前記おもて面の前記アイランドが前記裏面の前記アイランドと垂直方向に位置合わせされており、各アイランドは露出表面および１つまたは複数の側部を有し、前記第２の成形構造は前記側部を覆うが、前記アイランドの前記露出表面は覆わない、請求項１４に記載の成形製品。
【請求項１８】
前記アイランドは、露出表面、円形、楕円形、多角形またはダイヤモンド形の外周部、および前記露出表面と同一の外周部または異なる外周部を有する側部を有し、任意選択で前記アイランドは、パターンまたは文字を集合的に形成する、請求項１４に記載の成形製品。
【請求項１９】
前記アイランドが１つまたは複数の角度づけされた側部を有し、前記アイランドの前記露出表面は、円形、楕円形、多角形、またはダイヤモンド形の外周部を有し、前記第１の成形構造体および前記第２の成形構造体が、前記アイランドの露出表面の色彩が前記第２の成形構造体の色彩と対照的になるように、異なる色からなる、請求項１４に記載の成形製品。
【請求項２０】
前記第１の成形構造体は、前記作用端部と前記芯との間に位置し、前記作用端部および前記芯に連結された移行構造体をさらに備え、前記移行構造体は、１つまたは複数の開口を備え、前記第２の成形構造体は、前記１つまたは複数の開口内に延在し、前記１つまたは複数の開口を充填する、請求項１４に記載の成形製品。
【請求項２１】
前記作用端部は、スプーン、フォーク、ナイフ、歯ブラシ、ペイントブラシ、および剃刀からなる群より選択される器具を備え、前記第１の成形構造体および前記第２のショット成形構造体は、対照的な色彩からなる、請求項１４に記載の成形製品。